(57)【要約】【課題】光磁気記録装置の磁気ヘッドの磁界発生面の面積を低減し、情報信号の記録速度を向上する。【解決手段】磁気ヘッド１の支持手段を、磁気ヘッドを保持し光磁気ディスク４上にロードした状態においてその垂直方向の変位に伴って変位する第１の支持部１１と、磁気ヘッドを第１の支持部と共に保持し、駆動手段１３による磁気ヘッドのロード／アンロード動作に伴って変位する第２の支持部１２で構成する。そして、第２の支持部１２に作用する一定の外力に対する第２の支持部の変位量が、磁気ヘッドのロード／アンロード動作時（ロード状態とアンロード状態の間の移行動作開始時及び動作中）にはロード状態よりも大きくなるように第２の支持部の剛性を変化させる。【選択図】　　　　図１
2004055085.tif 000002
【特許請求の範囲】
【請求項１】
光磁気記録媒体に光ビームを照射する光ヘッド、前記媒体に磁界を印加する磁気ヘッド、前記磁気ヘッドを保持する支持手段、及び前記支持手段を駆動して前記媒体上へのロード（押圧）とアンロード（退避）とを行う駆動手段を備えた光磁気記録装置において、前記支持手段は、前記磁気ヘッドを保持し前記磁気ヘッドを前記媒体上にロードした状態において前記媒体の垂直方向の変位に伴って変位する第１の支持部と、前記磁気ヘッドを前記第１の支持部と共に保持し前記駆動手段による前記磁気ヘッドのロード／アンロード動作に伴って変位する第２の支持部から成り、前記第２の支持部に作用する一定の外力に対する前記第２の支持部の変位量が、前記磁気ヘッドのロード／アンロード動作時にはロードした状態よりも大きくなるように前記第２の支持部の剛性を変化させることを特徴とする光磁気記録装置。
【請求項２】
前記第２の支持部の剛性を、前記駆動手段による前記支持手段の駆動に連動して変化させることを特徴とする請求項１に記載の光磁気記録装置。
【請求項３】
前記磁気ヘッドのロード／アンロード動作時に、前記第２の支持部材の前記磁気ヘッドへの付勢力を付加／解除することを特徴とする請求項１に記載の光磁気記録装置。
【請求項４】
前記第２の支持部は、前記磁気ヘッドをロードした状態においてトラス構造を形成することを特徴とする請求項１に記載の光磁気記録装置。
【請求項５】
前記磁気ヘッドのロード／アンロード動作時に、前記第２の支持部の支持方向に直交する断面の形状が変化することを特徴とする請求項１に記載の光磁気記録装置。
【発明の詳細な説明】
【０００１】
【発明の属する技術分野】
本発明は、光磁気記録媒体に磁気ヘッドによって磁界を印加すると同時に、光ピックアップによってレーザ光を照射することにより情報信号を記録する光磁気記録装置、特に、光磁気記録媒体に情報信号で変調された磁界を印加する磁気ヘッド及びその支持機構の改良に関するものである。
【０００２】
【従来の技術】
従来、光磁気記録層を有する光磁気記録媒体に磁界を印加すると同時に、磁界の印加部分にレーザ光を照射することで情報信号の記録を行う光磁気記録装置が知られている。この光磁気記録装置の記録方式としては、所望強度のレーザ光を照射しながら記録すべき情報信号に応じて印加磁界の向きを反転させることによって情報信号を記録する磁界変調方式がある。このような磁界変調方式は、例えば、ＭＤ（ミニディスク）の装置等で採用されてきている。
【０００３】
一般に磁界変調方式の光磁気記録装置においては、光磁気記録媒体の一方の側に配置された光ピックアップによりレーザ光を光磁気記録層に微小な光スポットに集光して照射し、他方の側に配置された磁気ヘッドにより光スポットを含む領域に磁界を印加する。また情報信号の記録時には磁気ヘッドは光磁気記録媒体上にロード（押圧）され、情報信号の記録を行わない時、特に光磁気記録媒体を装置に挿入または排出する動作を行う際には、磁気ヘッドは光磁気記録媒体上からアンロード（退避）される。
【０００４】
次に、従来の磁界変調方式の光磁気記録装置の概略構成を図１０、図１１に基づいて説明する。図１０は光磁気ディスク４上に磁気ヘッド１がロードされている状態を示す側面図、図１１は磁気ヘッド１がアンロードされている状態を示す側面図である。また、それぞれ（ａ）は側面から、（ｂ）は上面から見た図である。
【０００５】
図中、３はカートリッジ、４はカートリッジに内包された光磁気記録媒体である光磁気ディスク、１は磁気ヘッド、２は光ピックアップである。カートリッジ３には光磁気ディスク４を露出させるように一部に開口６が形成され、開口６内において磁気ヘッド１は光磁気ディスク４の上面側に、光ピックアップ２は下面側に対向して配置され、両者は連結部材７により連結されている。
【０００６】
磁気ヘッド１には磁界発生部である磁極５が設けられ、磁極５から発生する磁界を光磁気ディスク４に印加する。また光ピックアップ２は光磁気ディスク４にレーザ光の光スポットを形成する。磁気ヘッド１をロードした状態において、磁極５による磁界の印加領域の中心と光ピックアップ２が形成する光スポットの位置が一致するように磁気ヘッド１と光ピックアップ２の位置が調整されている。
【０００７】
また、磁気ヘッド１の支持手段はロードビーム３１、第１の板バネ３２及び第２の板バネ３３で構成されている。ロードビーム３１の一端は第１の板バネ３２を介してベース板３４に結合され、他端には第２の板バネ３３を介して磁気ヘッド１が取り付けられている。ここで、磁気ヘッド１はカートリッジ３に形成した開口６内において光磁気ディスク４上にロードされるので、磁気ヘッド１を支持するロードビーム３１はカートリッジ３の上面の上方から開口６に向かって傾斜する形状となる。
【０００８】
また、図１０に示すように磁気ヘッド１はロード状態においては第１の板バネ３２及び第２の板バネ３３の付勢力により一定の荷重で光磁気ディスク４の上面に押圧されている。一方、磁気ヘッド１をアンロードする時には、図１１に示すように矢印Ｂの方向にスライドする昇降シャフト３５によって第１の板バネ３２を弾性変形させながらロードビーム３１を押し上げ、これにより磁気ヘッド１をカートリッジ３の上面よりも上方に退避させる構成となっている。
【０００９】
ところで、近年の情報信号の記録速度の向上に伴なって磁界の変調周波数を高くする必要が生じ、このため磁気ヘッド１は磁極５の磁界発生面（光磁気ディスク４との対向面）の面積を小さくすることによってインダクタンスを小さくする傾向がある。この時、磁界の印加領域も縮小するので、光ピックアップ２が形成する光スポットとの間のより高い位置精度が求められている。
【００１０】
【発明が解決しようとする課題】
しかしながら、外部から光磁気記録装置に加わる振動や衝撃によって、磁気ヘッド１はロードされた状態において光磁気ディスク４に平行な方向への変位を生じる。更に、磁気ヘッド１を支持するロードビーム３１がカートリッジ３の上面の上方から開口６に向かって傾斜する形状であるため、図１２に示すように光磁気ディスク４の厚さのばらつきや回転に伴う面振れ等によって、その上面が垂直方向に変位するときに、磁気ヘッド１は同時に光磁気ディスク４に平行な方向へも変位する。
【００１１】
ここで、光磁気ディスク４の垂直方向の変位量がΔＺであるとき、ロードビーム３１が光磁気ディスク４と成す角がθ１からθ２へ変化したとすると、それに伴う磁気ヘッド１の水平方向の変位量ΔＸは次の式（１）で表される。
【００１２】
ΔＸ＝ΔＺ×ｔａｎ〔（θ１＋θ２）／２〕　　　…式（１）
このような磁気ヘッド１の振動や衝撃による変位又は垂直方向の変位に伴う水平方向の変位によって磁界の印加領域も光ピックアップ２の形成する光スポットに対して変位する。そこで、たとえこのような変位を生じても、磁界の印加領域内に光スポットが形成されるように磁界の印加領域は想定される変位量も見込んだ十分な広さを有していなければならない。通常、この磁界の印加領域の大きさは磁気ヘッド１の磁極５の磁界発生面の大きさにほぼ等しい。つまり、磁界発生面の寸法の下限は磁気ヘッド１の水平方向の変位量によって定まり、このため磁気ヘッド１のインダクタンスを十分に低減することができず、これが情報信号の記録速度向上の障害となるのである。
【００１３】
そこで、このような課題を解決するために、仮に第１の板バネ３２の剛性をより大きくしたとする。第１の板バネ３２に支持されるロードビーム３１は、変位（角度の変化）を生じにくくなるから、振動や衝撃に対する磁気ヘッド１の変位を低減できることが期待できる。またカートリッジ３に形成した開口６内において、光磁気ディスク４により近接し、ロードビーム３１よりも小さい傾斜角で第２の板バネ３３によって磁気ヘッド１を支持すれば、磁気ヘッド１の垂直方向の変位に伴う水平方向の変位を低減することも期待できる。
【００１４】
しかしながら、第１の板バネ３２の剛性を大きくする程、アンロード動作を行う際に必要な駆動力が増すために駆動源の消費電力が増大したり、第１の板バネ３２の弾性変形可能な範囲内でカートリッジ３の上面よりも上まで完全に磁気ヘッド１を退避させることが困難になる等の課題を生じる。従って、このような改良にもやはり限界があり、情報信号の記録速度を向上することができなかった。
【００１５】
本発明は、上記従来の問題点に鑑みなされたもので、その目的は、磁気ヘッドの磁界発生面の面積を低減でき、情報信号の記録速度を向上することが可能な光磁気記録装置を提供することにある。
【００１６】
【課題を解決するための手段】
本発明は、光磁気記録媒体に光ビームを照射する光ヘッド、前記媒体に磁界を印加する磁気ヘッド、前記磁気ヘッドを保持する支持手段、及び前記支持手段を駆動して光磁気記録媒体上へのロード（押圧）とアンロード（退避）とを行う駆動手段を備えた光磁気記録装置において、前記支持手段は、前記磁気ヘッドを保持し前記磁気ヘッドを前記媒体上にロードした状態において前記媒体の垂直方向の変位に伴って変位する第１の支持部と、前記磁気ヘッドを前記第１の支持部と共に保持し前記駆動手段による前記磁気ヘッドのロード／アンロード動作に伴って変位する第２の支持部から成り、前記第２の支持部に作用する光磁気記録媒体に垂直な方向の一定の外力に対する前記第２の支持部の変位量が、前記磁気ヘッドのロード／アンロード動作時（ロード状態とアンロード状態の間の移行動作開始時及び動作中）にはロードした状態よりも大きくなるように前記第２の支持部の剛性を変化させることを特徴とする。
【００１７】
なお、上記の外力の作用する位置は、例えば第２の支持部が第１の支持部と接続される位置、或いは駆動手段による駆動力が第２の支持部に作用する位置である。ロード／アンロード動作時及びロード状態において実際にこの位置に力が作用するとは限らないが、仮に外力を作用させてそれに対する変位量をロード／アンロード動作時とロード状態とで比較した場合に、ロード／アンロード動作時の方が大きくなるように第２の支持部の剛性が変化するのである。
【００１８】
これにより、磁気ヘッドをロードした状態においては第２の支持部の剛性が高められ、振動や衝撃による第２の支持部の変位は抑制され、また光磁気記録媒体の垂直方向の変位に伴う第２の支持部の変位も抑制されて主に第１の支持部のみが変位する。磁気ヘッドのロード／アンロード動作時には、ロード状態におけるよりも第２の支持部の剛性が弱められるので、第２の支持部を変位させる駆動手段の駆動力を軽減できるのである。
【００１９】
ここで、第２の支持部の剛性とは、構造的な要因も含む変位のし難さであり、具体的には第２の支持部の第１の支持部との接続位置等に、光磁気記録媒体に垂直な方向の外力が作用して変位を生じるとした時に、その外力の変位量に対する割合のことである。つまり剛性が高いとは一定の外力に対して生じる変位量が小さい特性を有しているという意味である。また、第１の支持部や第２の支持部の変位とは、回動や弾性変形による傾斜角度の変化も含むものとする。
【００２０】
また、第２の支持部の剛性を、駆動手段による支持手段の駆動に連動して変化させるように構成することが可能であり、その場合剛性変化のための駆動源と、ロード／アンロード動作における第２の支持部の駆動のための駆動源を共通化することができる。
【００２１】
また、第２の支持部の剛性は、磁気ヘッドのロード／アンロード動作時に、第２の支持部材の前記磁気ヘッドへの付勢力を付加／解除することによって変化させることができる。
【００２２】
更に、第２の支持部が磁気ヘッドをロードした状態においてトラス構造を形成することによって剛性を高めるように変化させることもできる。
【００２３】
また、第２の支持部の剛性は、磁気ヘッドのロード／アンロード動作時の、第２の支持部の支持方向に直交する断面形状の変化によって変化させることもできる。
【００２４】
以上の特徴を備えたことにより、磁気ヘッドをロードした状態においては、装置に加わる振動や衝撃による磁気ヘッドの水平方向の変位を抑制することができ、特に第１の支持部をカートリッジの開口内において光磁気記録媒体により近接し、平行またはそれに近い傾斜角で配置し、第２の支持部をカートリッジの上面の上方より開口に向かって傾斜して配置すれば、磁気ヘッドの垂直方向の変位に伴う水平方向の変位量も低減できる。しかも、磁気ヘッドのロード／アンロード動作時には、第２の支持部を変位させるための駆動力が増大することはなく、むしろ従来よりも低減することができる。また、第２の支持部の弾性変形可能な範囲内において完全に磁気ヘッドを退避させることもできる。
【００２５】
【発明の実施の形態】
次に、本発明の実施の形態について図面を参照して詳細に説明する。
【００２６】
（第１の実施形態）
図１、図２、図３は本発明による光磁気記録装置の第１の実施形態を示す図である。図１は磁気ヘッド１のロード状態を示す図、図２は磁気ヘッド１のアンロード状態を示す図、図３はガイド部の概略を示すロード状態の斜視図である。また、図１、図２においてそれぞれ（ａ）は側面から、（ｂ）は上面から見た図である。
【００２７】
図中、３はカートリッジ、４はカートリッジに内包された光磁気記録媒体である光磁気ディスク、１は磁気ヘッド、２は光ピックアップである。カートリッジ３には光磁気ディスク４を露出させるように一部に開口６が形成され、開口６内において磁気ヘッド１は光磁気ディスク４の上面側に、光ピックアップ２は下面側に対向して配置され、両者は連結部材７により連結されている。更に、光ピックアップ２と磁気ヘッド１は図示しない移送手段によって光磁気ディスク４の半径方向の任意の位置に移送することができる。
【００２８】
磁気ヘッド１は第１の支持部１１の先端に保持され、更に第１の支持部１１は磁気ヘッド１と共に第２の支持部１２によって保持されている。第１の支持部１１の少なくとも大部分はカートリッジ３の開口６内に配置され，第２の支持部はカートリッジ３の上面の上方より開口６に向かって傾斜して配置されている。磁気ヘッド１には磁界発生部である磁極５が設けられ、磁気ヘッド１をロードした状態において、磁極５による光磁気ディスク４への磁界の印加領域の中心と、光ピックアップ２が形成する光スポットの位置が一致するように位置調整されている。また、１３は磁気ヘッドをロード／アンロードする際に第２の支持部１２の傾斜角度が変化するように変位させる駆動手段である。
【００２９】
ここで、磁気ヘッド１は板バネから成る第１の支持部１１の先端に保持され、第１の支持部１１は磁気ヘッド１と共に第２の支持部１２に保持されている。また、連結部材７には金属板から成るベース板１４が取り付けられており、第２の支持部１２はベース板１４に取り付けられている。
【００３０】
本実施形態においては、第２の支持部１２は下方への屈曲部を形成した板バネから成るロードビーム１５と金属板等の板状部材から成る補助ロード部材１６から構成されている。ロードビーム１５の基部はベース板１４に結合され、先端は第１の支持部１１に接続されている。また、補助ロード部材１６の先端はロードビーム１５と同方向へ屈曲し、基部はガイド部２６によってベース板１４に沿ってスライド可能に係合している。即ち、図３に示すようにガイド部材２６はガイドシャフト１８を支持する支持部（孔１９ａ、１９ｂが空けられた部分）と一体になっていて、更に補助ロード部材１６の基部と一体になっている。従って、この構造により、補助ロード部材１６はガイド部材２６によってベース板１４に対しスライド可能に係合する構造となっている。
【００３１】
駆動手段１３は光磁気ディスク４の半径方向に平行な昇降シャフト１７とガイドシャフト１８を両端で連結した構成で、昇降シャフト１７はロードビーム１５の下方に配置され、ガイドシャフト１８はベース板１４上において補助ロード部材１６の基部に形成した孔１９ａ、１９ｂに挿通されている。また、駆動手段１３は図示しないリンク機構を介して駆動源、例えばモータ等と結合され、昇降シャフト１７、ガイドシャフト１８、及び補助ロード部材１６はすべて一体的に光磁気ディスク４に平行な矢印Ａ及びＢで示す方向に往復スライド駆動される。
【００３２】
次に、磁気ヘッド１のロード／アンロード動作について説明する。まず、磁気ヘッド１をロードする場合には、図１に示すように昇降シャフト１７とガイドシャフト１８は矢印Ａの方向に一体的にスライド駆動される。この場合、ロードビーム１５を上方に押し上げていた昇降シャフト１７はロードビーム１５から離間し、これによりロードビーム１５は屈曲して磁気ヘッド１が光磁気ディスク４に押圧される。また、ガイドシャフト１８と共に補助ロード部材１６はベース板１４上をスライドし、ロードビーム１５の上面に当接して下方に押し下げ、磁気ヘッド１のロード動作を完了する。
【００３３】
磁気ヘッド１のロード状態においては、ロードビーム１５及び補助ロード部材１６の両方の付勢力によって第２の支持部１２の剛性はロードビーム１５単一であるよりも高くなる。従って光磁気ディスク４の垂直方向の変位に伴って磁気ヘッド１が垂直方向に変位する時に、第２の支持部１２はほとんど変位することなく、主に第１の支持部１１が変位する。
【００３４】
磁気ヘッド１をアンロードする場合には、図２に示すように昇降シャフト１７とガイドシャフト１８はロード時とは逆に矢印Ｂの方向に一体的にスライド駆動される。これにより補助ロード部材１６はスライドしてロードビーム１５から離間する。更に、昇降シャフト１７がスライドするとロードビーム１５に当接し、これを上方に押し上げる。この時、図示のように磁気ヘッド１はカートリッジ３の上面よりも上方に退避され、アンロード動作を完了する。なお、必要に応じてアンロード動作においてロードビーム１５と補助ロード部材１６の空間的な干渉が発生しないようにロードビーム１５の一部に開口、切れ込み等を形成してもよい。
【００３５】
ここで、このようなアンロード動作時、まず、補助ロード部材１６がロードビーム１５から離間してその付勢が解除されるので、第２の支持部１２の剛性はロードビーム１５のみの剛性に等しく、磁気ヘッド１のロード状態における剛性よりも低いので、十分に小さい駆動力でロードビーム１５を変位させることができる。
【００３６】
（第２の実施形態）
図４、図５、図６は本発明の光磁気記録装置の第２の実施形態を示す図である。図４は磁気ヘッド１のロード状態を示す図、図５は磁気ヘッド１のアンロード状態を示す図、図６は磁気ヘッド１の概略の斜視図である。また、図４、図５においては（ａ）は側面から、（ｂ）は上面から見た図である。更に、図６においては（ａ）はロード状態、（ｂ）はアンロード状態を示している。
【００３７】
図中、３はカートリッジ、４はカートリッジに内包された光磁気記録媒体である光磁気ディスク、１は磁気ヘッド、２は光ピックアップである。カートリッジ３には光磁気ディスク４を露出させるように一部に開口６が形成され、開口６内において磁気ヘッド１は光磁気ディスク４の上面側に、光ピックアップ２は下面側に対向して配置され、両者は連結部材７により連結されている。更に、光ピックアップ２と磁気ヘッド１は図示しない移送手段によって光磁気ディスク４の半径方向の任意の位置に移送することができる。
【００３８】
磁気ヘッド１は第１の支持部１１の先端に保持され、更に第１の支持部１１は磁気ヘッド１と共に第２の支持部１２によって保持されている。第１の支持部１１の少なくとも大部分はカートリッジ３の開口６内に配置され，第２の支持部はカートリッジ３の上面の上方より開口６に向かって傾斜して配置されている。磁気ヘッド１には磁界発生部である磁極５が設けられ、磁気ヘッド１をロードした状態において、磁極５による光磁気ディスク４への磁界の印加領域の中心と、光ピックアップ２が形成する光スポットの位置が一致するように位置調整されている。また、１３は磁気ヘッドをロード／アンロードする際に第２の支持部１２の傾斜角度が変化するように変位させる駆動手段である。
【００３９】
ここで、磁気ヘッド１は板バネから成る第１の支持部１１の先端に保持され、第１の支持部１１は磁気ヘッド１と共に第２の支持部１２に保持されている。また、連結部材７には金属板から成るベース板１４が取り付けられており、第２の支持部１２はベース板１４に取り付けられている。
【００４０】
本実施形態においては、第２の支持部１２は下方への屈曲部を形成した板バネから成るロードビーム１５と、金属等の板状や線状の部材から成る補助ロード部材１６から構成されている。ロードビーム１５の基部はベース板１４に結合され、先端は第１の支持部１１に接続されている。また、補助ロード部材１６の先端はロードビーム１５の先端近傍に結合され、補助ロード部材１６の基部には側方にＶ溝を形成した係合部材２０が取り付けられている。
【００４１】
係合部材２０の基部には図６に示すようにガイド部２６が設けられ、このガイド部２６がベース板１４の溝部１４ａと係合することで、ベース板１４に沿って離間することなくスライド可能となっている。ロードビーム１５と補助ロード部材１６、またはロードビーム１５と第１の支持部１１は別部材で構成しても、同一の板バネ部材で一体的に形成してもどちらでもよい。また、補助ロード部材１６のベース板１４への係合位置も任意であり、ロードビーム１５の基部に対して前後どちらでもよい。いずれの場合でも補助ロード部材１６は、ロードビーム１５への結合位置を支点として回動または弾性変形が可能であるように取り付けられている。
【００４２】
駆動手段１３は光磁気ディスク４の半径方向に平行な昇降シャフト１７とガイドシャフト１８を連結した構成で、昇降シャフト１７はロードビーム１５の下方に、ガイドシャフト１８はベース板１４上に配置されている。また、駆動手段１３は図示しないリンク機構を介して駆動源、例えばモータ等と結合され、光磁気ディスク４に平行な矢印Ａ及びＢで示す方向に往復スライド駆動される。
【００４３】
次に、磁気ヘッド１のロード／アンロード動作について説明する。まず、磁気ヘッド１をロードする場合には、図４に示すように昇降シャフト１７とガイドシャフト１８は矢印Ａの方向に一体的にスライド駆動される。ロードビーム１５を上方に押し上げていた昇降シャフト１７はロードビーム１５から離間し、これによりロードビーム１５は屈曲して磁気ヘッド１が光磁気ディスク４に押圧される。また、補助ロード部材１６の基部はベース板１４上をスライドし、更にガイドシャフト１８が補助ロード部材１６に取り付けられた係合部材２０のＶ溝部に当接して押すことによりロードビーム１５の先端を更に下方に変位させ、ベース板１４上に突出形成されたストッパ部２１に押さえ付けて固定し、ロード動作を完了する。ストッパ部２１はロード状態における補助ロード部材１６の位置精度を高め、適正な付勢力を得るために設けている。
【００４４】
磁気ヘッド１のロード状態においては、ロードビーム１５自体の弾性変形による付勢力に加えて、補助ロード部材１６による付勢力が作用し、更にはロードビーム１５と補助ロード部材１６はベース板１４と共にトラス構造を形成するので、第２の支持部１２の剛性は単一の板バネ部材に比較してはるかに高くなる。従って光磁気ディスク４の垂直方向の変位に伴って磁気ヘッド１が垂直方向に変位する時に第２の支持部はほとんど変位することなく、主に第１の支持部１１が変位する。
【００４５】
磁気ヘッド１をアンロードする場合には、図５に示すように昇降シャフト１７とガイドシャフト１８はロード時とは逆に矢印Ｂの方向に一体的にスライド駆動される。これにより、まず、ガイドシャフト１８が補助ロード部材１６に取り付けられた係合部材２０より離間し、これにより補助ロード部材１６の基部はストッパ部２１から離れる方向にスライド可能となる。更に、昇降シャフト１７がスライドしてロードビーム１５に当接し、これを上方に押し上げる。また、係合部材２０に結合された補助ロード部材１６の基部はベース板１４上をスライドしながら変位する。この時、図示のように磁気ヘッド１はカートリッジ３の上面よりも上方に退避され、アンロード動作を完了する。
【００４６】
ここで、このようなアンロード動作時、まず、補助ロード部材１６の基部の固定が解除されるので、補助ロード部材１６の付勢力は作用せず、また第２の支持部１２はトラス構造とはなっていない。従って、第２の支持部１２の剛性は磁気ヘッド１のロード状態における場合よりも低下しており、十分に小さい駆動力でロードビーム１５と補助ロード部材１６とを変位させることができる。
【００４７】
（第３の実施形態）
図７、図８、図９は本発明の光磁気記録装置の第３の実施形態を示す図である。図７は磁気ヘッド１のロード状態を示す図、図８は磁気ヘッド１のアンロード状態を示す図、図９は磁気ヘッド１の概略の斜視図である。また、図７、図８における（ａ）は側面から、（ｂ）は上面から、（ｃ）は正面から見た断面図（（ａ）のＣ−Ｃ線断面）である。図８の（ｄ）は同図（ｂ）において、磁気ヘッド１と第１の支持部１１、第２の支持部１２のみを示す上面図、図９において（ａ）はロード状態、（ｂ）はアンロード状態を示している。
【００４８】
図中、３はカートリッジ、４はカートリッジに内包された光磁気記録媒体である光磁気ディスク、１は磁気ヘッド、２は光ピックアップである。カートリッジ３には光磁気ディスク４を露出させるように一部に開口６が形成され、開口６内において磁気ヘッド１は光磁気ディスク４の上面側に、光ピックアップ２は下面側に対向して配置され、両者は連結部材７により連結されている。更に、光ピックアップ２と磁気ヘッド１は図示しない移送手段によって光磁気ディスク４の半径方向の任意の位置に移送することができる。
【００４９】
磁気ヘッド１は第１の支持部１１の先端に保持され、更に第１の支持部１１は磁気ヘッド１と共に第２の支持部１２によって保持されている。第１の支持部１１の少なくとも大部分はカートリッジ３の開口６内に配置され，第２の支持部はカートリッジ３の上面の上方より開口６に向かって傾斜して配置されている。磁気ヘッド１には磁界発生部である磁極５が設けられ、磁気ヘッド１をロードした状態において、磁極５による光磁気ディスク４への磁界の印加領域の中心と、光ピックアップ２が形成する光スポットの位置が一致するように位置調整されている。また、１３は磁気ヘッドをロード／アンロードする際に第２の支持部１２の傾斜角度が変化するように変位させる駆動手段である。
【００５０】
ここで、磁気ヘッド１は板バネから成る第１の支持部１１の先端に保持され、第１の支持部１１は磁気ヘッド１と共に第２の支持部１２に保持されている。また、連結部材７には金属板から成るベース板１４が取り付けられており、第２の支持部１２はベース板１４に取り付けられている。
【００５１】
本実施形態においては、第２の支持部１２は基部において下方への屈曲部を形成した板バネから成るロードビーム１５から構成されている。ロードビーム１５の幅は基部から先端に向かって徐々に狭くなり、また基部の近傍から先端の近傍まで中心線に沿ってスリット２５が形成され、１５ａ、１５ｂの２つの部分に分岐している。また、ロードビーム１５はその基部においてその中心線近傍（図中ハッチングにより示す）のみがベース板１４に接着固定されている。更に、ロードビーム１５の分岐部分１５ａ、１５ｂの基部両端にはディスク面側に傾斜を有する傾斜部１５ｃ、１５ｄが形成されている。
【００５２】
駆動手段１３は昇降シャフト１７、ガイドシャフト１８及び付勢部材２２から構成されている。昇降シャフト１７とガイドシャフト１８は光磁気ディスク４の半径方向に平行であり、両端で連結されている。付勢部材２２にはガイド部２６が設けられ、ベース板１４に沿ってスライド可能に係合されている。また、付勢部材２２にはロードビーム１５の２つの分岐部分１５ａ、１５ｂの各々の上面に対向する球面状凸部２３ａ、２３ｂが形成されている。
【００５３】
また、昇降シャフト１７はロードビーム１５の下方に、ガイドシャフト１８は付勢部材２２の一端に形成した孔２４ａ、２４ｂに挿通されている。駆動手段１３は図示しないリンク機構を介して駆動源、例えばモータ等と結合され、昇降シャフト１７、ガイドシャフト１８、及び付勢部材２２はすべて一体的に光磁気ディスク４に平行な矢印Ａ及びＢで示す方向に往復スライド駆動される。
【００５４】
次に、磁気ヘッド１のロード／アンロード動作について説明する。まず、磁気ヘッド１をロードする場合には、図７に示すように昇降シャフト１７とガイドシャフト１８は矢印Ａの方向に一体的にスライド駆動される。ロードビーム１５を上方に押し上げていた昇降シャフト１７はロードビーム１５から離間し、これによりロードビーム１５は屈曲して磁気ヘッド１が光磁気ディスク４に押圧される。また、付勢部材２２はベース板１４上をスライドし、更に球面状凸部２３ａ、２３ｂが各々ロードビーム１５の傾斜部１５ｃ、１５ｄをガイドとし、ロードビーム１５の上面の外縁寄りに当接して下方に押す。
【００５５】
然るに、図８（ｄ）に示す通りにロードビーム１５は固定されているため、ロードビーム１５の分岐部分１５ａ、１５ｂは各々固定部分（ハッチング部）の境界を中心として図７（ｃ）に示す通りに両縁が下方に湾曲する。そして、ロードビーム１５の分岐部分１５ａ、１５ｄの先端では、両部分は平行な状態を保つため各々ねじれ変形を生じる。
【００５６】
なお、このようなロードビーム１５の湾曲が、磁気ヘッド１やそれを直接支持する第１の支持部１１の支持状態に影響を及ぼすことを避けるため、ロードビーム１５の先端の幅を狭くし、また基部の近傍に付勢部材２２を当接させることによって、ロードビーム１５の先端の近傍では湾曲が生じないようにするのが望ましい。また、スリット２５の形成位置により、所望の部分において湾曲を生じやすくしたり、逆に湾曲を抑えるべき部分に拘束のための部材を設けることもできる。
【００５７】
磁気ヘッド１のロード状態においては、ロードビーム１５自体の弾性変形による付勢力に加えて、付勢部材２２の押圧による付勢力が作用する。更には、ロードビーム１５の支持方向に直交する断面（図７（ｃ）で示す断面）が、光磁気ディスク４に対して平行な形状から非平行な形状（分岐部分１５ａ、１５ｂが湾曲した状態）に変化することによってその剛性がはるかに高くなる。従って、光磁気ディスク４の垂直方向の変位に伴って磁気ヘッド１が垂直方向に変位する時に第２の支持部１２はほとんど変位することなく、主に第１の支持部１１が変位する。
【００５８】
磁気ヘッド１をアンロードする場合には、図８に示すように昇降シャフト１７とガイドシャフト１８はロード時とは逆に矢印Ｂの方向に一体的にスライド駆動される。これにより、まず、付勢部材２２がロードビーム１５より離間し、これにより付勢部材２２によるロードビーム１５の付勢は解除され、湾曲していたロードビーム１５の２つの分岐部分１５ａ、１５ｂは互いに平行な状態に戻る。更に、昇降シャフト１７がスライドしてロードビーム１５に当接し、これを上方に押し上げる。この時、図示のように磁気ヘッド１はカートリッジ３の上面よりも上方に退避され、アンロード動作を完了する。
【００５９】
ここで、このようなアンロード動作時、まず、付勢部材２２によるロードビーム１５への付勢が解除され、同時に２つの分岐部分１５ａ、１５ｂは、ともにその支持方向に直交する断面（図８（ｃ）で示す断面）が、光磁気ディスク４に対して平行な状態に戻ることによって、第２の支持部１２の剛性は磁気ヘッド１のロード状態における場合よりも低下するので、十分に小さい駆動力でロードビーム１５を変位させることができる。
【００６０】
なお、第１から第３のいずれの実施形態においても、昇降シャフト１７とガイドシャフト１８は光磁気ディスク４の内外周に亘って十分な長さを有している。また、第２の支持部１２は昇降シャフト１７及びガイドシャフト１８との当接部または挿通部において摺動可能であり、これにより磁気ヘッド１はロード状態及びアンロード状態のいずれにおいても、光ピックアップ２と一体的に光磁気ディスク４の任意の記録位置に移送することが可能である。
【００６１】
【発明の効果】
以上説明したように本発明の光磁気記録装置によれば、磁気ヘッドをロードした状態においては第２の支持部の剛性が高められ、振動や衝撃による第２の支持部の変位は抑制され、また光磁気記録媒体の垂直方向の変位に伴う第２の支持部の変位も抑制されて主に第１の支持部のみが変位する。磁気ヘッドのロード／アンロード動作時には、ロード状態における場合よりも第２の支持部の剛性が弱められるので、第２の支持部を変位させる駆動手段の駆動力を軽減できる。
【００６２】
その結果、磁気ヘッドをロードした状態においては、装置に加わる振動や衝撃による磁気ヘッドの変位を抑制することができ、特に第１の支持部をカートリッジの開口内において光磁気記録媒体により近接し、平行またはそれに近い傾斜角で配置し、第２の支持部をカートリッジの上面の上方より開口に向かって傾斜して配置すれば、磁気ヘッドの垂直方向の変位に伴う水平方向の変位が低減できる。しかも、磁気ヘッドのロード／アンロード動作時には、第２の支持部を変位させるための駆動力が増大することはなく、むしろ従来よりも低減することによって駆動源の消費電力を低減することも可能である。また、第２の支持部の弾性変形可能な範囲内でカートリッジの上面よりも上まで完全に磁気ヘッドを退避させることができる。
【００６３】
このように磁気ヘッドの水平方向の変位を低減できるので、磁界発生面の面積を小さくした場合でも、光スポットは磁界の印加領域内に形成でき、磁気ヘッドのインダクタンスを低減することができる。その結果、情報信号の記録速度を向上することができる。
【図面の簡単な説明】
【図１】本発明による光磁気記録装置の第１の実施形態における磁気ヘッドのロード状態を示す図である。
【図２】本発明による光磁気記録装置の第１の実施形態における磁気ヘッドのアンロード状態を示す図である。
【図３】本発明による光磁気記録装置の第１の実施形態におけるガイド部の概略を示す斜視図である。
【図４】本発明による光磁気記録装置の第２の実施形態における磁気ヘッドのロード状態を示す図である。
【図５】本発明による光磁気記録装置の第２の実施形態における磁気ヘッドのアンロード状態を示す図である。
【図６】本発明による光磁気記録装置の第２の実施形態における磁気ヘッドの概略を示す斜視図である。
【図７】本発明による光磁気記録装置の第３の実施形態における磁気ヘッドのロード状態を示す図である。
【図８】本発明による光磁気記録装置の第３の実施形態における磁気ヘッドのアンロード状態を示す図である。
【図９】本発明による光磁気記録装置の第３の実施形態における磁気ヘッドの概略を示す斜視図である。
【図１０】従来の光磁気記録装置における磁気ヘッドのロード状態を示す図である。
【図１１】従来の光磁気記録装置における磁気ヘッドのアンロード状態を示す図である。
【図１２】従来の光磁気記録装置における課題を説明する図である。
【符号の説明】
１　磁気ヘッド
２　光ピックアップ
３　カートリッジ
４　光磁気ディスク
５　磁極
６　開口
７　連結部材
１１　第１の支持部
１２　第２の支持部
１３　駆動手段
１４　ベース板
１５　ロードビーム
１５ａ，１５ｂ　（ロードビームの）分岐部分
１５ｃ，１５ｄ　（ロードビームの）傾斜部
１６　補助ロード部材
１７　昇降シャフト
１８　ガイドシャフト
１９ａ，１９ｂ　孔
２０　係合部材
２１　ストッパ部
２２　付勢部材
２３ａ，２３ｂ　球面状凸部
２４ａ，２４ｂ　孔
２５　スリット
２６　ガイド部
【図１】
2004055085.tif 000003
【図２】
2004055085.tif 000004
【図３】
2004055085.tif 000005
【図４】
2004055085.tif 000006
【図５】
2004055085.tif 000007
【図６】
2004055085.tif 000008
【図７】
2004055085.tif 000009
【図８】
2004055085.tif 000010
【図９】
2004055085.tif 000011
【図１０】
2004055085.tif 000012
【図１１】
2004055085.tif 000013
【図１２】
2004055085.tif 000014